(57)【要約】【課題】当該光ディスクは、交換する必要があることを知らせたり交換した方が良いことを勧めることを知らせたりできる光ディスク記録再生装置を提供する。【解決手段】光ディスクへのタイトルの記録が終了したときに、当該タイトルを管理するための制御情報の書込みでエラーが検出されると、セクタがずらされ、再度、制御情報が作成され、制御情報の書込みがリトライされる。このリトライ回数が予め決められている最大リトライ回数を超えても、正常に制御情報がセクタに書き込まれないときは、エラーメッセージが表示手段に表示される。また、前記リトライ回数が多くとも最大リトライ回数で、正常に制御情報がセクタに書き込まれたときは、ディスク品質が良くないことを警告する警告メッセージが表示手段に表示される。【選択図】図６
2008210472.tif 000002
【特許請求の範囲】
【請求項１】
光ディスクに情報を記録したり、光ディスクに記録された情報を再生したりする光ディスク記録再生装置において、
光ディスクへのタイトルの記録が終了したときに、当該タイトルを管理するための制御情報の書込みのリトライ回数を示すリトライカウント値をクリアするリトライカウント値クリア手段と、
前記リトライカウント値がクリアされた後、当該タイトルを管理するための制御情報を書き込む光ディスク上のデータ領域のセクタを設定する第１のセクタ設定手段と、
前記リトライカウント値が所定の最大リトライ値以下であるか否かを判定する第１のリトライカウント値判定手段と、
前記リトライカウント値が所定の最大リトライ値を超えると判定されたときに、エラーメッセージを表示手段に表示させるエラーメッセージ表示処理手段と、
前記リトライカウント値が所定の最大リトライ値以下であると判定されたときに、制御情報を作成する制御情報作成手段と、
前記作成された制御情報を前記設定されたセクタに書き込む制御情報書込み手段と、
前記作成された制御情報が前記設定されたセクタに書き込まれた後、前記制御情報の書込みエラーが発生したか否かを判定する書込みエラー判定手段と、
前記書込みエラーが発生したと判定されたときに、前記リトライカウント値をインクリメントするリトライカウント値インクリメント手段と、
前記リトライカウント値がインクリメントされた後、前記制御情報を書き込むセクタを設定する第２のセクタ設定手段と、
前記書込みエラーが発生しなかったと判定されたときに、前記リトライカウント値が前記最大リトライ値のデクリメント値以上であるか否かを判定する第２のリトライカウント値判定手段と、
前記リトライカウント値が前記最大リトライ値のデクリメント値以上であると判定されたときに、ディスク品質が良くないことを警告する警告メッセージを表示手段に表示させる警告メッセージ表示処理手段と、を有するシステムコントローラを備えたことを特徴とする光ディスク記録再生装置。
【請求項２】
光ディスクに情報を記録したり、光ディスクに記録された情報を再生したりする光ディスク記録再生装置において、
光ディスクへのタイトルの記録が終了したときに、当該タイトルを管理するための制御情報の書込みでエラーを検出すると、エラーが発生したセクタに書込みを行わないようにするため、セクタをずらして再度、制御情報を作成して、制御情報の書込みをリトライし、このリトライ回数が予め決められている最大リトライ回数を超えても、正常に制御情報をセクタに書き込めないときは、エラーメッセージを表示手段に表示させ、前記リトライ回数が多くとも最大リトライ回数で、正常に制御情報をセクタに書き込めたときは、ディスク品質が良くないことを警告する警告メッセージを表示手段に表示させるシステムコントローラを備えたことを特徴とする光ディスク記録再生装置。
【請求項３】
前記テムコントローラは、光ディスクへのタイトルの記録が終了したときに、当該タイトルを管理するための制御情報の書込みのリトライ回数を示すリトライカウント値をクリアするリトライカウント値クリア手段と、前記リトライカウント値がクリアされた後、当該タイトルを管理するための制御情報を書き込む光ディスク上のデータ領域のセクタを設定する第１のセクタ設定手段と、前記リトライカウント値が所定の最大リトライ値以下であるか否かを判定する第１のリトライカウント値判定手段と、前記リトライカウント値が所定の最大リトライ値を超えると判定されたときに、エラーメッセージを表示手段に表示させるエラーメッセージ表示処理手段と、前記リトライカウント値が所定の最大リトライ値以下であると判定されたときに、制御情報を作成する制御情報作成手段と、前記作成された制御情報を前記設定されたセクタに書き込む制御情報書込み手段と、前記作成された制御情報が前記設定されたセクタに書き込まれた後、前記制御情報の書込みエラーが発生したか否かを判定する書込みエラー判定手段と、前記書込みエラーが発生したと判定されたときに、前記リトライカウント値をインクリメントするリトライカウント値インクリメント手段と、前記リトライカウント値がインクリメントされた後、前記制御情報を書き込むセクタを設定する第２のセクタ設定手段と、前記書込みエラーが発生しなかったと判定されたときに、前記リトライカウント値が前記最大リトライ値のデクリメント値以上であるか否かを判定する第２のリトライカウント値判定手段と、前記リトライカウント値が前記最大リトライ値のデクリメント値以上であると判定されたときに、ディスク品質が良くないことを警告する警告メッセージを表示手段に表示させる警告メッセージ表示処理手段とを有することを特徴とする請求項２に記載の光ディスク記録再生置。
【発明の詳細な説明】
【技術分野】
【０００１】
本発明は、光ディスクに情報を記録したり、光ディスクに記録された情報を再生したりする光ディスク記録再生装置に関し、特に、タイトルが記録された後に書き込む制御情報が正常に書き込まれないときに、エラーを表示させる表示機能に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で何回か書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、およびＤＶＤ−ＲＡＭへの情報の記録は、光ディスク記録再生装置（ＤＶＤレコーダ）で記録可能である。
【０００３】
光ディスク記録再生装置では、ＤＶＤ−Ｒ、ＤＶＤ−ＲＷのような−系のＤＶＤや、ＤＶＤ＋Ｒ、ＤＶＤ＋ＲＷのような＋系のＤＶＤにデータを記録する場合に、データの記録中に記録エラーが発生すると、書き込みできないセクタに対して所定回数書込みをリトライして、所定回数リトライしても書き込みできない時に、そのセクタを飛ばして次のセクタにデータを記録するようにしている。また、再生時には、前記記録エラーが発生したセクタに対して所定回数リトライして、所定回数リトライしても読み出せない時に、そのセクタを飛ばして次のセクタからデータを読み出すようにしている。
【特許文献１】特開２００５−１７４４７１号公報
【特許文献２】特開２００６−１０７６２２号公報
【特許文献３】特開２００２−８３２０号公報
【特許文献４】特開平１１−３５３６８２号公報
【発明の開示】
【発明が解決しようとする課題】
【０００４】
ところで、光ディスクのデータ領域に本編情報であるタイトルが記録された後、当該タイトルのタイトル名、当該タイトルの映像音声データが記録されているセクタの始まりから終わりまでのアドレスを示す記録済みアドレス情報、当該タイトルの記録時間、などを示すタイトル管理情報を示す制御情報が、設定されたセクタに書き込まれる。しかし、前述したようなリトライを行っても、当該タイトルの後に制御情報をセクタに書き込むことができなかった場合、制御情報が無いことになるので、再生時には当該タイトルを読み出すことができなくなる。したがって、光ディスク記録再生装置としては、制御情報を正常に書き込むことができない光ディスクに対しては、ユーザに知らせる必要がある。
【０００５】
そこで、特許文献１の従来技術では、記録中にサーボエラーが発生した場合には再度記録を行うリトライを実行し、測定されたブロックエラーレート値が所定値よりも大きいと判定された場合には、当該記録媒体に関して記録エラーがあった旨を上位装置に報告するようにしているが、単に記録エラーの報告だけでは、何が原因で記録エラーになったかが分からず、特に、前記のような制御情報が正確に書き込まれたか否かを判定する処理は開示されていないので、制御情報の書込みエラーを特定することができず、制御情報を正常に書き込むことができない光ディスクである場合に、ユーザに、当該光ディスクは交換する必要があることを知らせたり、また、書込みの多くとも最大リトライ回数で、制御情報を正常に書き込むことができた光ディスクである場合には、ユーザに、当該光ディスクは交換した方が良いことを勧めることを知らせたりすることができないと言う課題が生じる。
【０００６】
なお、特許文献２の従来技術では、ＤＶＤ−ＶＲフォーマットで録画を行っている途中でＤＶＤ−Ｒディスクに物理的なダメージが発生した場合において、ダメージが発見されたセクタ部分を所定データで書き潰すことで修復し、続いて、修復された区間を閉じ、その後に新たな区間を作るようしているが、この従来技術も、前記のような制御情報が正確に書き込まれたか否かを判定する処理は開示されていないので、制御情報の書込みエラーを特定することができず、制御情報を正常に書き込むことができない光ディスクである場合に、ユーザに、当該光ディスクは交換する必要があることを知らせたり、また、書込みの多くとも最大リトライ回数で、制御情報を正常に書き込むことができた光ディスクである場合には、ユーザに、当該光ディスクは交換した方が良いことを勧めることを知らせたりすることができないと言う課題が生じる。
【０００７】
また、特許文献３の従来技術では、エラーが検出されたデータ信号の記録位置を再生対象から除外した管理情報（前記制御情報に相当）を作成し、この管理情報により、エラーが検出されたデータ信号の記録位置を再生対象から除外するようにしているが、管理情報（制御情報）を正常に書き込むことができない光ディスクである場合に、ユーザに、当該光ディスクは交換する必要があることを知らせたり、また、書込みの多くとも最大リトライ回数で、管理情報（制御情報）を正常に書き込むことができた光ディスクである場合には、ユーザに、当該光ディスクは交換した方が良いことを勧めることを知らせたりすることができないと言う課題が生じる。
【０００８】
また、特許文献４の従来技術では、警告制御機構はリトライ検出を受けると、レーザ出力センサの出力が規定許容範囲から外れると、光学ヘッドの清掃を促す警告表示を警告表示部に行い、レーザ出力センサの出力が規定許容範囲内にあると、警告表示部に光ディスク媒体の清掃を促す警告表示を行うようにしているが、この従来技術も、前記のような制御情報が正確に書き込まれたか否かを判定する処理は開示されていないので、制御情報の書込みエラーを特定することができず、制御情報を正常に書き込むことができない光ディスクである場合に、ユーザに、当該光ディスクは交換する必要があることを知らせたり、また、書込みの多くとも最大リトライ回数で、制御情報を正常に書き込むことができた光ディスクである場合には、ユーザに、当該光ディスクは交換した方が良いことを勧めることを知らせたりすることができないと言う課題が生じる。
【０００９】
本発明は、上記のような課題を解決するためになされたもので、タイトルの記録終了後に制御情報を正常に書き込むことができない光ディスクである場合に、ユーザに、当該光ディスクは交換する必要があることを知らせたり、また、書込みの多くとも最大リトライ回数で、制御情報を正常に書き込むことができた光ディスクである場合には、ユーザに、当該光ディスクは交換した方が良いことを勧めることを知らせたりすることができる光ディスク記録再生装置を提供することを目的とする。
【課題を解決するための手段】
【００１０】
上記目的を達成するために、請求項１の発明は、光ディスクへのタイトルの記録が終了したときに、当該タイトルを管理するための制御情報の書込みのリトライ回数を示すリトライカウント値をクリアするリトライカウント値クリア手段と、前記リトライカウント値がクリアされた後、当該タイトルを管理するための制御情報を書き込む光ディスク上のデータ領域のセクタを設定する第１のセクタ設定手段と、前記リトライカウント値が所定の最大リトライ値以下であるか否かを判定する第１のリトライカウント値判定手段と、前記リトライカウント値が所定の最大リトライ値を超えると判定されたときに、エラーメッセージを表示手段に表示させるエラーメッセージ表示処理手段と、前記リトライカウント値が所定の最大リトライ値以下であると判定されたときに、制御情報を作成する制御情報作成手段と、前記作成された制御情報を前記設定されたセクタに書き込む制御情報書込み手段と、前記作成された制御情報が前記設定されたセクタに書き込まれた後、前記制御情報の書込みエラーが発生したか否かを判定する書込みエラー判定手段と、前記書込みエラーが発生したと判定されたときに、前記リトライカウント値をインクリメントするリトライカウント値インクリメント手段と、前記リトライカウント値がインクリメントされた後、前記制御情報を書き込むセクタを設定する第２のセクタ設定手段と、前記書込みエラーが発生しなかったと判定されたときに、前記リトライカウント値が前記最大リトライ値のデクリメント値以上であるか否かを判定する第２のリトライカウント値判定手段と、前記リトライカウント値が前記最大リトライ値のデクリメント値以上であると判定されたときに、ディスク品質が良くないことを警告する警告メッセージを表示手段に表示させる警告メッセージ表示処理手段とを有するシステムコントローラを備えたことを特徴とする光ディスク記録再生装置を提供する。
【００１１】
この構成において、光ディスクへのタイトルの記録が終了したときに、リトライカウント値クリア手段は、リトライカウント値をクリアし、第１のセクタ設定手段は、当該タイトルを管理するための制御情報を書き込む光ディスク上のデータ領域のセクタを設定する。そして、第１のリトライカウント値判定手段は、当該タイトルを管理するための制御情報の書込みのリトライ回数を示すリトライカウント値が所定の最大リトライ値以下であると判定したとき、制御情報作成手段は、制御情報を作成する。そして、制御情報書込み手段は、当該タイトルに対して作成された制御情報を、前記設定されたセクタに書き込む。
【００１２】
前記作成された制御情報が前記設定されたセクタに書き込まれた後、書込みエラー判定手段は、前記制御情報の書込みエラーが発生していると判定したとき、リトライカウント値インクリメント手段は、前記リトライカウント値をインクリメントし、この後、第２のセクタ設定手段は、前記制御情報を書き込むセクタをずらすため、次のセクタを設定する。そして、再び、第２のリトライカウント値判定手段は、当該タイトルを管理するための制御情報の書込みのリトライ回数を示すリトライカウント値が所定の最大リトライ値以下であるか否かを判定し、前記リトライカウント値が所定の最大リトライ値を超えると判定されたときに、エラーメッセージ表示処理手段は、エラーメッセージを表示手段に表示させ、本処理を終了させる。
【００１３】
前記リトライカウント値が所定の最大リトライ値以下であると判定されたとき、制御情報作成手段は、当該タイトルに対する制御情報を作成する。そして、制御情報書込み手段は、前記制御情報を前記設定されたセクタに書き込む。前記作成された制御情報が前記設定されたセクタに書き込まれた後、書込みエラー判定手段は、前記制御情報の書込みエラーが発生してないと判定したとき、第２のリトライカウント値判定手段は、前記リトライカウント値が前記最大リトライ値のデクリメント値以上であるか否かを判定する。そして、前記リトライカウント値が前記最大リトライ値のデクリメント値以上であると判定されたとき、警告メッセージ表示処理手段は、当該光ディスクのディスク品質が良くないことを警告する警告メッセージを表示手段に表示させる。
【００１４】
この構成によれば、タイトルの記録終了後に制御情報を正常に書き込むことができない光ディスクである場合に、当該光ディスクは交換する必要があることを、エラーメッセージによりユーザに知らせたり、また、書込みの多くとも最大リトライ回数で、制御情報を正常に書き込むことができた光ディスクである場合には、当該光ディスクは交換した方が良いことを勧めることを、警告メッセージによりユーザに知らせたりすることができるので、ユーザは、現在、装置に挿入されている光ディスクは、品質が全く悪い光ディスク、または品質が良くない光ディスクであることを認識でき、次のタイトルの記録からは新しい光ディスクを用いて記録することを選択でき、タイトルの記録を失敗するようなことを未然に防ぐことができ、装置の信頼性が向上する。
【００１５】
請求項２の発明は、光ディスクへのタイトルの記録が終了したときに、当該タイトルを管理するための制御情報の書込みでエラーを検出すると、エラーが発生したセクタに書込みを行わないようにするため、セクタをずらして再度、制御情報を作成して、制御情報の書込みをリトライし、このリトライ回数が予め決められている最大リトライ回数を超えても、正常に制御情報をセクタに書き込めないときは、エラーメッセージを表示手段に表示させ、前記リトライ回数が多くとも最大リトライ回数で、正常に制御情報をセクタに書き込めたときは、ディスク品質が良くないことを警告する警告メッセージを表示手段に表示させるシステムコントローラを備えたことを特徴とする光ディスク記録再生装置を提供する。
【００１６】
この構成において、光ディスクへのタイトルの記録が終了したときに、当該タイトルを管理するための制御情報の書込みでエラーが検出されると、セクタがずらされ、再度、制御情報が作成され、制御情報の書込みがリトライされる。このリトライ回数が予め決められている最大リトライ回数を超えても、正常に制御情報がセクタに書き込まれないときは、エラーメッセージが表示手段に表示される。また、前記リトライ回数が多くとも最大リトライ回数で、正常に制御情報がセクタに書き込まれたときは、ディスク品質が良くないことを警告する警告メッセージが表示手段に表示される。
【００１７】
この構成によれば、タイトルの記録終了後に制御情報を正常に書き込むことができない光ディスクである場合に、当該光ディスクは交換する必要があることを、エラーメッセージによりユーザに知らせたり、また、書込みの多くとも最大リトライ回数で、制御情報を正常に書き込むことができた光ディスクである場合には、当該光ディスクは交換した方が良いことを勧めることを、警告メッセージによりユーザに知らせたりすることができるので、ユーザは、現在、装置に挿入されている光ディスクは、品質が全く悪い光ディスク、または品質が良くない光ディスクであることを認識でき、次のタイトルの記録からは新しい光ディスクを用いて記録することを選択でき、タイトルの記録を失敗するようなことを未然に防ぐことができ、装置の信頼性が向上する。
【００１８】
請求項３の発明では、請求項２の発明において、前記テムコントローラは、光ディスクへのタイトルの記録が終了したときに、当該タイトルを管理するための制御情報の書込みのリトライ回数を示すリトライカウント値をクリアするリトライカウント値クリア手段と、前記リトライカウント値がクリアされた後、当該タイトルを管理するための制御情報を書き込む光ディスク上のデータ領域のセクタを設定する第１のセクタ設定手段と、前記リトライカウント値が所定の最大リトライ値以下であるか否かを判定する第１のリトライカウント値判定手段と、前記リトライカウント値が所定の最大リトライ値を超えると判定されたときに、エラーメッセージを表示手段に表示させるエラーメッセージ表示処理手段と、前記リトライカウント値が所定の最大リトライ値以下であると判定されたときに、制御情報を作成する制御情報作成手段と、前記作成された制御情報を前記設定されたセクタに書き込む制御情報書込み手段と、前記作成された制御情報が前記設定されたセクタに書き込まれた後、前記制御情報の書込みエラーが発生したか否かを判定する書込みエラー判定手段と、前記書込みエラーが発生したと判定されたときに、前記リトライカウント値をインクリメントするリトライカウント値インクリメント手段と、前記リトライカウント値がインクリメントされた後、前記制御情報を書き込むセクタを設定する第２のセクタ設定手段と、前記書込みエラーが発生しなかったと判定されたときに、前記リトライカウント値が前記最大リトライ値のデクリメント値以上であるか否かを判定する第２のリトライカウント値判定手段と、前記リトライカウント値が前記最大リトライ値のデクリメント値以上であると判定されたときに、ディスク品質が良くないことを警告する警告メッセージを表示手段に表示させる警告メッセージ表示処理手段とを有することを特徴とする。
【００１９】
したがって、前記テムコントローラは、リトライカウント値クリア処理、第１のセクタ設定処理、第１のリトライカウント値判定処理、エラーメッセージ表示処理、制御情報作成処理、制御情報書込み処理、書込みエラー判定処理、リトライカウント値インクリメント処理、第２のセクタ設定処理、第２のリトライカウント値判定処理、および警告メッセージ表示処理を実現でき、これにより、タイトルの記録終了後に制御情報を正常に書き込むことができない光ディスクである場合に、エラーメッセージを表示させることが可能になり、また、書込みの多くとも最大リトライ回数で、制御情報を正常に書き込むことができた光ディスクである場合には、警告メッセージを表示させることが可能になる。
【発明の効果】
【００２０】
以上のように本発明によれば、タイトルの記録終了後に制御情報を正常に書き込むことができない光ディスクである場合に、当該光ディスクは交換する必要があることを、エラーメッセージによりユーザに知らせたり、また、書込みの多くとも最大リトライ回数で、制御情報を正常に書き込むことができた光ディスクである場合には、当該光ディスクは交換した方が良いことを勧めることを、警告メッセージによりユーザに知らせたりすることができるので、ユーザは、現在、装置に挿入されている光ディスクは、品質が全く悪い光ディスク、または品質が良くない光ディスクであることを認識でき、次のタイトルの記録からは新しい光ディスクを用いて記録することを選択でき、タイトルの記録を失敗するようなことを未然に防ぐことができ、装置の信頼性が向上する。
【発明を実施するための最良の形態】
【００２１】
以下、添付図面を参照しつつ、本発明の実施の形態について説明する。図１は本発明の一実施形態に係る光ディスク記録再生装置の構成を示すブロック図である。
【００２２】
図１において、この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２３】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理とエラー訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２４】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２５】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２６】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータあるいは取扱説明書のデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７と、ディスプレイ装置２０にメッセージを表示させる際にテキストデータをＯＳＤ（オンスクリーンディスプレイ）処理するＯＳＤ回路３５とを備えている。
【００２７】
また、この光ディスク記録再生装置は、アンテナ２８に接続されるチューナー２９と、このチューナー２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェイスであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２８】
システムコントローラ２２は、本実施形態の特徴とする構成要素として、光ディスク１へのタイトルの記録が終了したときに、リトライカウント値をクリアするリトライカウント値クリア手段と、前記リトライカウント値がクリアされた後、当該タイトルを管理するための制御情報を書き込む光ディスク１上のデータ領域のセクタを設定する第１のセクタ設定手段と、前記リトライカウント値が所定の最大リトライ値以下であるか否かを判定する第１のリトライカウント値判定手段と、前記リトライカウント値が所定の最大リトライ値を超えると判定されたときに、エラーメッセージを表示手段としてのディスプレイ装置２０または図示しない本体表示部に表示させるエラーメッセージ表示処理手段と、前記リトライカウント値が所定の最大リトライ値以下であると判定されたときに、制御情報を作成する制御情報作成手段と、前記作成された制御情報を前記設定されたセクタに書き込む制御情報書込み手段と、前記作成された制御情報が前記設定されたセクタに書き込まれた後、そのセクタのブロックエラーレートが所定値よりも大きいか否かを判定することにより前記制御情報の書込みエラーが発生したか否かを判定する書込みエラー判定手段と、前記書込みエラーが発生したと判定されたときに、前記リトライカウント値をインクリメントするリトライカウント値インクリメント手段と、前記リトライカウント値がインクリメントされた後、前記制御情報を書き込むセクタを設定する第２のセクタ設定手段と、前記書込みエラーが発生しなかったと判定されたときに、前記リトライカウント値が前記最大リトライ値のデクリメント値以上であるか否かを判定する第２のリトライカウント値判定手段と、前記リトライカウント値が前記最大リトライ値のデクリメント値以上であると判定されたときに、ディスク品質が良くないことを警告する警告メッセージをディスプレイ装置２０または図示しない本体表示部に表示させる警告メッセージ表示処理手段とを有する。
【００２９】
この光ディスク記録再生装置においては、システムコントローラ２２によりセクタの単位で指定された光ディスク１上のアドレスのデータを光ピックアップ２により読み取り、デジタル信号処理部８でエラー訂正コードによりデータのエラー訂正を行っている。そして、エラー訂正が可能であれば、訂正されたデータをシステムコントローラ２２に返し、訂正に失敗した場合は再度同じアドレスのデータを光ディスク１から読み出してエラー訂正を試みる、所謂リトライを実行する。このリトライは、規定回数を限度に繰り返され、それまでに正しいデータが得られなかった場合は、エラー訂正不能をシステムコントローラ２２に通知する。
【００３０】
図２は本実施形態においてＥＣＣブロックの構成を示す図である。データのエラー訂正は、図２に示すようにＥＣＣブロックと呼ばれる単位で実行される。このＥＣＣブロックは、例えば、図２に示すように通常１６個のセクタｂ１〜ｂ１６で構成されている。したがって、システムコントローラ２２から、或るセクタの転送が要求された場合、光ピックアップ２は、そのセクタが属するＥＣＣブロックを構成する全てのセクタデータを光ディスク１から読み出して、デジタル信号処理部８でエラー訂正を行い、エラー訂正できたならば、エラー訂正後のデータの内の要求されたセクタのデータのみがシステムコントローラ２２に転送され、エラー訂正ができなかった場合は、その旨がシステムコントローラ２２に通知される。また、光ディスク１の情報を再生する場合、システムコントローラ２２は、例えば１６個のセクタを一塊（１ＥＣＣ）として読み出す制御を行っている。
【００３１】
図３は本実施形態において記録処理を説明するためのＤＶＤ＋Ｒの光ディスクのデータ構造図である。図３に示すように、ＤＶＤ＋Ｒの光ディスク１に対してタイトルＴ１が記録され、タイトルＴ１の記録が終了すると、制御情報がタイトルＴ１の後に記録される。制御情報とは、当該タイトルのタイトル名、当該タイトルの映像音声データが記録されているセクタの始まりから終わりまでのアドレスを示す記録済みアドレス情報、当該タイトルの記録時間、などを示すタイトル管理情報のことを言う。リードイン（Ｌｅａｄ−ｉｎ）内には、当該光ディスク１１をアクセスするのに必要なパラメータが記録されている。
【００３２】
図４は本実施形態におけるエラーメッセージの表示画面の一例を示す画面図である。図４において、エラーメッセージの表示画面Ａには、例えば「ディスクに正常に制御情報が書き込めませんので、ディスクを交換して下さい。」というメッセージが表示されている。このエラーメッセージは、制御情報が光ディスク上の設定されたセクタに正常に制御情報が書き込まれない場合に、セクタをずらして、再度、制御情報を作成し、ずらしたセクタに書き込む処理であるリトライの回数（リトライカウント値）が、予め決められている最大リトライ回数（例えば、３回）を超えても、正常に制御情報をセクタに書き込めないときに表示される。このエラーメッセージの表示画面Ａは、ディスプレイ装置２０に表示されるが、図示しない本体表示部に表示可能な表示領域が有れば、本体表示部にも、表示させることもできる。
【００３３】
図５は本実施形態における警告メッセージの表示画面の一例を示す画面図である。図５において、警告メッセージの表示画面Ｂには、例えば「ディスクの品質が良くないようですので、ディスクの交換をお勧めします。ディスクが傷だらけであるか、使用しているドライブとの相性が悪い可能性があります。」というメッセージが表示されている。この警告メッセージは、回数（リトライカウント値）が、予め決められている多くとも最大リトライ回数（例えば、３回）で、正常に制御情報をセクタに書き込めたときに表示される。この警告メッセージの表示画面Ｂは、ディスプレイ装置２０に表示されるが、図示しない本体表示部に表示可能な表示領域が有れば、本体表示部にも、表示させることもできる。
【００３４】
図６は本実施形態において光ディスクに制御情報を書き込む際に書込みエラーが発生した場合の処理を説明するためのフローチャートである。このフローチャートおよび図１〜図５を参照して光ディスクに制御情報を書き込む際に書込みエラーが発生した場合の処理について説明する。ここでは、光ディスク１がＤＶＤ＋Ｒであり、記録フォーマットがＤＶＤ＋ＶＲフォーマットである場合について説明するが、光ディスク１がＤＶＤ＋ＲＷであり、記録フォーマットがＤＶＤ＋ＶＲフォーマットである場合、光ディスク１がＤＶＤ−ＲやＤＶＤ−ＲＷあるいはＤＶＤ−ＲＡＭであり、記録フォーマットがＤＶＤ−ＶＲフォーマットである場合、光ディスク１がハイビジョン映像音声信号を記録可能なＨＤ＿ＤＶＤであり、記録フォーマットがハイビジョン対応記録フォーマットである場合であっても、本発明の特徴とする処理である制御情報の書込みエラーが発生した場合の処理を適用することができる。
【００３５】
さて、例えば、チューナー２９で選局されたテレビ番組を光ディスク１に記録する場合、装置に光ディスク１が挿入されると、システムコントローラ２２は、スピンドルモータ５を駆動させることにより、光ディスク１を少しの時間だけ回転させ、ローディング（ディスク情報を読み出すマウント処理）を行い、挿入されている光ディスク１のタイプを判別し、光ディスク１が、例えば、ＤＶＤ＋Ｒであった場合は、ＤＶＤ＋ＶＲフォーマットで記録されることになる。
【００３６】
このようにして光ディスク１がローディングされた後、システムコントローラ２２は、リモコン２１の記録キーの押下による記録指示、または図示しないタイマで計時されている現在時刻が記録予約による記録開始時刻になることによる記録指示を検知すると（ステップＳ１）、サーボ制御部４およびモータ駆動回路３４を介してスピンドルモータ１を駆動させることによって光ディスク１を回転させ、また、サーボ制御部４を介して光ピックアップ２を記録動作させ、チューナー２９からの映像音声信号を、Ａ／Ｄ変換回路３０、ＭＰＥＧエンコーダ３１、ＲＡＭ３２、ＡＴＡＰＩ３３、記録データ変調回路２５、およびレーザ変調回路２６の各処理を経て映像音声データとし、この映像音声データの光ディスク１への記録を開始させる（ステップＳ２）。
【００３７】
ここで、光ディスク１に記録される映像音声データが、例えば、図３に示すように、タイトルＴ１として光ディスク１のデータ領域に記録され、リモコン２１の停止キーの押下による記録終了指示、または記録予約による記録終了時刻の到来による記録終了指示を、システムコントローラ２２が検知すると（ステップＳ３）、システムコントローラ２２はタイトルＴ１の記録を終了させる（ステップＳ４）。
【００３８】
このタイトルの記録が終了したときに、システムコントローラ２２のリトライカウント値クリア手段は、リトライカウント値をクリアし（その値０に設定し）（ステップＳ５）、システムコントローラ２２の第１のセクタ設定手段は、タイトルＴ１を管理するための制御情報を書き込む光ディスク１上のデータ領域のセクタを設定する（ステップＳ６）。そして、システムコントローラ２２の第１のリトライカウント値判定手段は、タイトルＴ１を管理するための制御情報の書込みのリトライ回数を示すリトライカウント値が所定の最大リトライ値以下（例えば３以下）であるか否かを判定する（ステップＳ７）。
【００３９】
前記リトライカウント値が所定の最大リトライ値以下であると判定されたとき、システムコントローラ２２の制御情報作成手段は、タイトルＴ１の記録結果に基づいて得られた、タイトルＴ１のタイトル名、タイトルＴ１の映像音声データが記録されているセクタの始まりから終わりまでのアドレスを示す記録済みアドレス情報、およびタイトルＴ１の記録時間の情報などを示すタイトル管理情報である制御情報を作成する（ステップＳ９）。そして、システムコントローラ２２の制御情報書込み手段は、タイトルＴ１に対して作成された制御情報（ステップＳ９で作成された制御情報）を、前記設定されたセクタ（ステップＳ６で設定されたセクタ）に書き込む（ステップＳ１０）。
【００４０】
前記作成された制御情報が前記設定されたセクタに書き込まれた後、システムコントローラ２２の書込みエラー判定手段は、例えば、そのセクタのブロックエラーレートが所定値よりも大きいか否かを判定することにより前記制御情報の書込みエラーが発生したか否かを判定する（ステップＳ１１）。前記セクタのブロックエラーレートが所定値以下で前記制御情報の書込みエラーが発生してないと判定されたとき、システムコントローラ２２の第２のリトライカウント値判定手段は、前記リトライカウント値が、前記最大リトライ値のデクリメント値（最大リトライ値−１）以上であるか否かを判定する（ステップＳ１４）。そして、前記リトライカウント値が前記最大リトライ値のデクリメント値未満であると判定されたとき、本処理は終了する。
【００４１】
一方、前記セクタのブロックエラーレートが所定値よりも大きくて前記制御情報の書込みエラーが発生していると判定されたとき（ステップＳ１１）、システムコントローラ２２のリトライカウント値インクリメント手段は、前記リトライカウント値をインクリメント（＋１）し（ステップＳ１２）、この後、システムコントローラ２２の第２のセクタ設定手段は、前記制御情報を書き込むセクタをずらすため、次のセクタを設定する（ステップＳ１３）。
【００４２】
そして、再び、システムコントローラ２２の第２のリトライカウント値判定手段は、当該タイトルを管理するための制御情報の書込みのリトライ回数を示すリトライカウント値が所定の最大リトライ値以下であるか否かを判定する（ステップＳ７）。前記リトライカウント値（例えば４）が所定の最大リトライ値（例えば３）を超えると判定されたときに、システムコントローラ２２のエラーメッセージ表示処理手段は、エラーメッセージをＯＳＤ回路３５の処理などによりディスプレイ装置２０に表示させ（ステップＳ８）、本処理を終了させる。このエラーメッセージは、例えば、図４に示すように、「ディスクに正常に制御情報が書き込めませんので、ディスクを交換して下さい。」というようなメッセージになる。
【００４３】
前記リトライカウント値が所定の最大リトライ値以下であると判定されたとき、システムコントローラ２２の制御情報作成手段は、タイトルＴ１の記録結果に基づいて得られた、タイトルＴ１のタイトル名、タイトルＴ１の映像音声データが記録されているセクタの始まりから終わりまでのアドレスを示す記録済みアドレス情報、およびタイトルＴ１の記録時間の情報などを示すタイトル管理情報である制御情報を作成する（ステップＳ９）。そして、システムコントローラ２２の制御情報書込み手段は、タイトルＴ１に対して作成された制御情報（ステップＳ９で作成された制御情報）を、前記設定されたセクタ（ステップＳ６で設定されたセクタ）に書き込む（ステップＳ１０）。
【００４４】
前記作成された制御情報が前記設定されたセクタに書き込まれた後、システムコントローラ２２の書込みエラー判定手段は、そのセクタのブロックエラーレートが所定値よりも大きいか否かを判定することにより前記制御情報の書込みエラーが発生したか否かを判定する（ステップＳ１１）。前記セクタのブロックエラーレートが所定値以下で前記制御情報の書込みエラーが発生してないと判定されたとき、システムコントローラ２２の第２のリトライカウント値判定手段は、前記リトライカウント値が前記最大リトライ値のデクリメント値以上であるか否かを判定する（ステップＳ１４）。
【００４５】
そして、前記リトライカウント値（例えば２）が、前記最大リトライ値のデクリメント値（例えば２）以上であると判定されたとき、即ち、前記リトライカウント値が、多くとも最大リトライカウント値（例えば３）であると判定されたとき、システムコントローラ２２の警告メッセージ表示処理手段は、ディスク品質が良くないことを警告する警告メッセージをディスプレイ装置に表示させる（ステップＳ１５）。この警告メッセージは、例えば、図５に示すように、「ディスクの品質が良くないようですので、ディスクの交換をお勧めします。ディスクが傷だらけであるか、使用しているドライブとの相性が悪い可能性があります。」というようなメッセージになる。
【００４６】
以上説明したように本実施形態によれば、例えば、タイトルＴ１の記録終了後に制御情報を正常に書き込むことができない光ディスク１である場合に、当該光ディスク１は交換する必要があることを、エラーメッセージ（図４参照）によりユーザに知らせたり、また、書込みの多くとも最大リトライ回数で、制御情報を正常に書き込むことができた光ディスク１である場合には、当該光ディスク１は交換した方が良いことを勧めることを、警告メッセージ（図５参照）によりユーザに知らせたりすることができるので、ユーザは、現在、装置に挿入されている光ディスク１は、品質が全く悪い光ディスク、または品質が良くない光ディスクであることを認識でき、次のタイトルの記録からは新しい光ディスクを用いて記録することを選択でき、タイトルの記録を失敗するようなことを未然に防ぐことができ、装置の信頼性が向上する。
【産業上の利用可能性】
【００４７】
本発明は、光ディスク記録再生装置（ＤＶＤレコーダ）におけるタイトル記録後に書き込まれる制御情報の書込みエラーを表示する機能に利用可能であり、挿入されている光ディスクの品質を知ることができる・
【図面の簡単な説明】
【００４８】
【図１】本発明の一実施形態に係る光ディスク記録再生装置の構成を示すブロック図である。
【図２】前記実施形態においてＥＣＣブロックの構成を示す図である。
【図３】前記実施形態において記録処理を説明するためのＤＶＤ＋Ｒの光ディスクのデータ構造図である。
【図４】前記実施形態におけるエラーメッセージの表示画面の一例を示す画面図である。
【図５】前記実施形態における警告メッセージの表示画面の一例を示す画面図である。
【図６】前記実施形態において光ディスクに制御情報を書き込む際に書込みエラーが発生した場合の処理を説明するためのフローチャートである。
【符号の説明】
【００４９】
１    光ディスク
２０    ディスプレイ装置（表示手段）
２２    システムコントローラ
Ａ    エラーメッセージの表示画面
Ｂ    警告メッセージの表示画面
【図１】
2008210472.tif 000003
【図２】
2008210472.tif 000004
【図３】
2008210472.tif 000005
【図４】
2008210472.tif 000006
【図５】
2008210472.tif 000007
【図６】
2008210472.tif 000008